(57)【要約】【課題】ハイダイナミックレンジ（ＨＤＲ）画像を撮影動作時に容易に実現し得る撮影機器を提供する。【解決手段】被写体を撮像する撮像部１２と、撮像部により得られた画像データに基く画像を表示する表示部２３と、撮像部によって取得された画像データに基いて被写体光を測光し適正露出値を設定し設定された適正露出値に基く画像を生成する露出制御部１４と、撮像部によって得られた複数の画像データに基いて画像合成処理を行う画像処理部１５とを具備し、露出制御部は画像データに基いて設定した異なる複数の露出値による画像を生成し、画像処理部は露出制御部により生成された複数の画像についての画像の合成処理を実行し、その画像合成処理結果の画像データを反映させる際もしくは反映中から非反映に戻す際にフレーム毎にダイナミックレンジを徐々に拡げるもしくは狭める画像処理を行う。【選択図】図１
2015109684.tif 000002
【特許請求の範囲】
【請求項１】
被写体を撮像する撮像部と、
上記撮像部によって取得された画像データに基く画像を表示する表示部と、
上記撮像部によって取得された画像データに基いて被写体光を測光し適正露出値を設定し設定された適正露出値に基く画像を生成する露出制御部と、
上記撮像部によって得られた複数の画像データに基いて画像合成処理を行う画像処理部と、
を具備し、
上記露出制御部は、上記画像データに基いて設定した異なる複数の露出値による画像を生成し、
上記画像処理部は、上記露出制御部により生成された複数の画像についての上記画像合成処理を実行し、その画像合成処理の結果得られた画像データを反映させる際もしくは反映中から非反映に戻す際に、フレーム毎にダイナミックレンジを徐々に拡げるもしくは狭める画像処理を行うことを特徴とする撮影機器。
【請求項２】
上記画像処理部は、上記複数画像についての上記画像合成処理をライブビュー表示動作中に実行し、
上記表示部は、上記画像処理部による上記画像合成処理の結果の画像データに基いてライブビュー表示を行うことを特徴とする請求項１に記載の撮影機器。
【請求項３】
上記画像処理部は、上記複数画像についての上記画像合成処理を動画記録動作中に実行し、
上記表示部は、動画記録中のライブビュー表示画面内に副画面を表示させると共に、上記画像処理部による上記画像合成処理結果を記録する前に、上記副画面に上記画像処理部による上記画像合成処理結果の画像データに基くライブビュー画像を表示させることを特徴とする請求項１に記載の撮影機器。
【請求項４】
上記画像処理部は、記録指示信号を受けた後に上記画像合成処理結果の画像データを記録中の動画データに反映させる画像処理を実行することを特徴とする請求項３に記載の撮影機器。
【請求項５】
上記画像処理部は、上記画像合成処理結果の画像データを記録中の動画データに反映させる際に、フレーム毎にダイナミックレンジを徐々に拡げる画像処理を行うことを特徴とする請求項４に記載の撮影機器。
【請求項６】
撮像によって取得された画像データに基く画像を表示する表示ステップと、
上記撮像によって取得された画像データに基いて被写体光を測光し適正露出値を設定し設定された適正露出値に基く画像を生成する露出制御ステップと、
上記撮像によって得られた複数の画像データに基いて画像合成処理を行う画像処理ステップと、
を具備し、
上記露出制御ステップにおいて、上記画像データに基いて設定した異なる複数の露出値による画像を生成し、
上記画像処理ステップにおいて、上記露出制御ステップにおいて生成された複数の画像についての画像合成処理を実行し、
上記画像処理ステップにおいて、上記画像合成処理結果の画像データを反映させる際もしくは、反映中から非反映に戻す際に、フレーム毎にダイナミックレンジを徐々に拡げる、もしくは狭める画像処理を行うことを特徴とする撮影方法。
【発明の詳細な説明】
【技術分野】
【０００１】
この発明は、ハイダイナミックレンジ（ＨＤＲ）画像合成処理を機器内にて実行し得る撮影機器及び撮影方法に関するものである。
【背景技術】
【０００２】
従来、撮像素子等を適用したデジタルカメラ等の撮影機器においては、撮影動作によって取得した画像データに基いて各種の画像処理を施すことによって、様々な形態の画像を取得することができるようになっている。特に、近年においては、画像処理回路の処理速度の向上を受けて、撮影記録を行なう前の段階のいわゆるライブビュー表示を行ないながら、各種の画像処理を施した場合の処理結果の画像を予め確認することができるようにもなっている。
【０００３】
また、近年の撮影機器においては、表示装置の表示部上にタッチパネル等の操作部材を配設し、このタッチパネルを介した直感的な操作によって、撮影動作に関する各種の操作を行ない得るようにしたものが実用化されている。
【０００４】
例えば、特開平１１−３５５６１７号公報等によって開示されている撮影機器においては、タッチパネルのタッチ操作によって撮影動作を指示したり、ピント位置や露出を合わせる部位を指定する等といった操作を行ない得ることが開示されている。
【先行技術文献】
【特許文献】
【０００５】
【特許文献１】特開平１１−３５５６１７号公報
【発明の概要】
【発明が解決しようとする課題】
【０００６】
ところが、上記特開平１１−３５５６１７号公報等によって開示されている手段は、タッチ操作によって指示された位置を考慮して各種の設定を行なうようにする構成を提供するのみであり、例えばタッチ操作によって指示された画像領域に対して所定の制御処理を行うことについての開示はあるが、指示されていない画像領域を考慮した処理を行うことについての工夫はない。
【０００７】
従来の撮影機器においては、自動露出制御を行って適正露出値が自動的に決定されるという機能を有しているのが普通である。ところが、従来の撮影機器において適用される撮像素子等は、人間の目が感じ得る範囲に比べて、ラチチュード（latitude：露出寛容度）が狭いことが判っている。
【０００８】
したがって、例えば撮影画面内に輝度差が大きい複数の被写体が共存しているような場合においては、極端に高輝度な被写体を含む領域（いわゆる明部領域）や、極端に低輝度な被写体を含む領域（いわゆる暗部領域）では、画像飽和によるいわゆる白トビ，黒潰れ等の現象が生じてしまい、取得した画像の画質を劣化させてしまうという問題点があった。
【０００９】
そこで、近年においては、例えばハイダイナミックレンジ画像（high dynamic range imaging）合成技術を用いて、ダイナミックレンジの広い画像を取得することができる撮影機器が提案され実用化されている。しかしながら、これら従来の撮影機器では、機器の内部に組み込まれた制御回路によってハイダイナミックレンジ画像合成処理を自動的に行うようにしているので、取得される画像が不自然なものになってしまうことがある。
【００１０】
本発明は、上述した点に鑑みてなされたものであって、その目的とするところは、ハイダイナミックレンジ画像合成技術を用いて画像を取得し得る撮影機器において、使用者の意図を反映させて不自然さを解消したハイダイナミックレンジ画像を取得することができる撮影機器及び撮影方法を提供することである。
【課題を解決するための手段】
【００１１】
上記目的を達成するために、本発明の一態様の撮影機器は、被写体を撮像する撮像部と、上記撮像部によって取得された画像データに基く画像を表示する表示部と、上記撮像部によって取得された画像データに基いて被写体光を測光し適正露出値を設定し設定された適正露出値に基く画像を生成する露出制御部と、上記撮像部によって得られた複数の画像データに基いて画像合成処理を行う画像処理部とを具備し、上記露出制御部は上記画像データに基いて設定した異なる複数の露出値による画像を生成し、上記画像処理部は上記露出制御部により生成された複数の画像についての上記画像合成処理を実行しその画像合成処理の結果得られた画像データを反映させる際もしくは反映中から非反映に戻す際にフレーム毎にダイナミックレンジを徐々に拡げるもしくは狭める画像処理を行う。
【００１２】
また、本発明の一態様の撮影方法は、撮像によって取得された画像データに基く画像を表示する表示ステップと、上記撮像によって取得された画像データに基いて被写体光を測光し適正露出値を設定し設定された適正露出値に基く画像を生成する露出制御ステップと、上記撮像によって得られた複数の画像データに基いて画像合成処理を行う画像処理ステップとを具備し、上記露出制御ステップにおいて、上記画像データに基いて設定した異なる複数の露出値による画像を生成し、上記画像処理ステップにおいて、上記露出制御ステップにおいて生成された複数の画像についての画像合成処理を実行し、上記画像処理ステップにおいて上記画像合成処理結果の画像データを反映させる際もしくは反映中から非反映に戻す際にフレーム毎にダイナミックレンジを徐々に拡げるもしくは狭める画像処理を行う。
【発明の効果】
【００１３】
本発明によれば、ハイダイナミックレンジ画像合成技術を用いる撮影機器において、使用者の意図を反映させて不自然さを解消したハイダイナミックレンジ画像を取得することができる撮影機器及び撮影方法を提供することができる。
【図面の簡単な説明】
【００１４】
【図１】本発明の第１の実施形態の撮影機器（カメラ）の内部構成における主要構成部材を示すブロック構成図
【図２】図１の撮影機器（カメラ）を用いて撮影している様子を示す説明図
【図３】図２の状態において、撮影機器（カメラ）の表示画面を主に示す図
【図４】図１，図２の状態からタッチ操作の結果得られる表示画像の一例を示し、タッチ指示位置を重点に露出制御が行なわれた場合の表示画像を示す図
【図５】図１，図２の状態からタッチ操作の結果得られる表示画像の他の一例を示し、非タッチ位置の状態を維持しつつ、タッチ指示位置の露出制御を行なった場合の表示画像を示す図
【図６】図１の撮影機器（カメラ）において、タッチパネルの座標と表示装置の座標との関係を説明する図
【図７】図１の撮影機器（カメラ）において実行されるハイダイナミックレンジ（ＨＤＲ）画像合成処理を説明するための概念図
【図８】図１の撮影機器（カメラ）によるカメラ制御の処理シーケンスを示すフローチャート
【図９】図８のタッチ操作で加算判定（ステップＳ５）処理のサブルーチンを示すフローチャート
【図１０】本発明の第２の実施形態の撮影機器（カメラ）によるカメラ制御の処理シーケンスを示すフローチャート
【図１１】図１０の処理シーケンスのうちＨＤＲシーケンス（ステップＳ４５）のサブルーチンを示すフローチャート
【図１２】図１１の処理シーケンスのうち領域指定（ステップＳ４７）のサブルーチンを示すフローチャート
【図１３】図１１の処理シーケンスのうちＨＤＲシーケンスのケースＡ（ステップＳ４９）の詳細を示すフローチャート
【図１４】図１３の処理シーケンスのうち指定領域測光Ｌ（ステップＳ６２，Ｓ７６）のサブルーチンを示すフローチャート
【図１５】図１３の処理シーケンスのうち指定領域測光Ｈ処理（ステップＳ７１，Ｓ７９）のサブルーチンを示すフローチャート
【図１６】図１１の処理シーケンスのうちＨＤＲシーケンスのケースＢ（ステップＳ５０）の詳細を示すフローチャート
【図１７】図１０の処理シーケンスのうち動画記録（ステップＳ４３）の詳細を示すフローチャート
【図１８】図１７の処理シーケンスのうちＨＤＲ測光，露出制御処理（ステップＳ２１２，Ｓ２２０）のサブルーチンを示すフローチャート
【図１９】本発明の第２の実施形態の撮影機器（カメラ）による作用を説明する図であって、複数回のタッチ操作によって三枚（若しくはそれ以上）の加算用画像を取得する場合のシーケンスを示す説明図
【図２０】本発明の第２の実施形態の撮影機器（カメラ）による作用を説明する図であって、範囲指定を一度行うのみで複数枚の異なる露出の画像データを取得する場合のシーケンスを示す説明図
【図２１】本発明の第２の実施形態の撮影機器（カメラ）による作用を説明する図であって、動画記録時のＨＤＲ画像を取得する場合のシーケンスを示す説明図
【図２２】本発明の第２の実施形態の撮影機器（カメラ）による作用を説明する図であって、動画記録時のＨＤＲ画像を取得する場合のシーケンスを示すタイミングチャート
【発明を実施するための形態】
【００１５】
以下、図示の実施の形態によって本発明を説明する。
【００１６】
［第１の実施形態］
図１〜図９は、本発明の第１の実施形態を示す図である。このうち図１は、本発明の第１の実施形態の撮影機器（カメラ）の内部構成における主要構成部材を示すブロック構成図である。図２は、本実施形態の撮影機器（カメラ）を用いて撮影している様子を示す説明図である。図３は、図２の状態において、撮影機器（カメラ）の表示画面を主に示す図である。図４は、図１，図２の状態からタッチ操作の結果得られる表示画像の一例を示し、タッチ指示位置を重点に露出制御が行なわれた場合の表示画像を示している。図５は、図１，図２の状態からタッチ操作の結果得られる表示画像の他の一例を示し、非タッチ位置の状態を維持しつつ、タッチ指示位置の露出制御を行なった場合の表示画像を示す図である。
【００１７】
図６は、本実施形態の撮影機器（カメラ）において、タッチパネル２５の座標と表示装置の座標との関係を説明する図である。また、図７は、本実施形態の撮影機器（カメラ）において実行されるハイダイナミックレンジ（ＨＤＲ）画像合成処理を説明するための概念図である。
【００１８】
図８は、本実施形態の撮影機器（カメラ）によるカメラ制御の処理シーケンスを示すフローチャートである。図９は、図８の処理シーケンスのうちタッチ操作で加算判定（ステップＳ５）処理のサブルーチンを示すフローチャートである。
【００１９】
本発明の第１の実施形態においては、例えば光学レンズにより形成される光学像を固体撮像素子を用いて光電変換し、これによって得られる画像信号を静止画像又は動画像を表わすデジタル画像データに変換し、こうして生成されたデジタル画像データを記録媒体に記録し、また記録媒体に記録されたデジタル画像データに基いて静止画像又は動画像を表示装置を用いて再生表示し得るように構成される撮影機器であるカメラを例示するものである（以下、単にカメラというものとする）。
【００２０】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００２１】
まず、本発明の第１の実施形態のカメラ１の主要内部構成について、図１を用いて以下に説明する。
【００２２】
図１に示すように、本実施形態の撮影機器であるカメラ１は、カメラ本体１０と、撮影レンズ鏡筒３０とによって主に構成されている。
【００２３】
カメラ本体１０は、後述する各種の構成部材を内部に収納する筐体からなり、本カメラ１の基本構成をなす構成部である。撮影レンズ鏡筒３０は、撮影光学系等を具備し、被写体からの光束を受けて光学的な被写体像を結像させるために設けられる構成部である。そして、本カメラ１は、カメラ本体１０の前面に対して撮影レンズ鏡筒３０が着脱自在に配設して構成される、いわゆるレンズ交換式カメラである。
【００２４】
上記カメラ本体１０の内部には、ＣＰＵ等の電気部品からなり当該カメラ１の電気的な制御を統括するカメラ制御部１１（図１においてはＣＰＵと表記している）と、このカメラ制御部１１の制御下で機能する各種の構成部材、即ち、撮像素子１２、フラッシュメモリ等の一時メモリ１３、露出制御部１４、画像処理部１５、操作制御部１６、操作部１７、カメラ通信部１８、ＳＤＲＡＭ１９、メモリインタフェース（Ｉ／Ｆ）２０、記録媒体２１、表示用ドライバ２２、ＬＣＤ等の表示装置２３、タッチパネルドライバ２４、タッチパネル２５等が配設されている。
【００２５】
撮像素子１２は、例えばＣＣＤ，ＣＭＯＳ等の光電変換素子と、その駆動回路等によって構成される撮像部である。撮像素子１２は、上記撮影レンズ鏡筒３０の撮影光学系によって結像される光学像を受けて、これを光電変換処理し、電気的な画像データを生成する構成部である。
【００２６】
一時メモリ１３は、フラッシュメモリ等によって構成され、各種画像処理等を行なう際のプログラムやデータ等を一時的に記憶しておく内部メモリ領域である。
【００２７】
露出制御部１４は、撮像素子１２からの出力信号等に基いて、若しくは別に設けた測光手段（不図示）からの信号に基いて被写体光の測光を行ない、その測光結果に基いて適正露出値を設定し、この設定された適正露出値に基いてシャッター機構（不図示；撮像素子１２に含まれるか若しくは撮像素子１２の直前に別途設けられる）や絞り値機構（符号３３；後述する），撮像素子１２（感度調整等）等を制御するための制御回路である。これによって、適正露出となる画像が取得され、取得された画像は順次連続的に表示装置２３に表示される。
【００２８】
画像処理部１５は、本実施形態のカメラ１において実行されるハイダイナミックレンジ（ＨＤＲ）画像合成処理のほか、従来一般のカメラにて実行される各種の画像信号処理を行なう回路部である。
【００２９】
操作部１７は、本カメラ１を操作する上で必要となる各種の操作部材等を含んで構成される構成部である。
【００３０】
操作制御部１６は、操作部１７からの指示信号を受信してカメラ制御部１１へと伝達すると共に、カメラ制御部１１の指示を操作部１７へと伝達する等の制御を行なう制御回路である。
【００３１】
カメラ通信部１８は、撮影レンズ鏡筒３０との間で通信を行ない、制御信号等を送受信する構成部である。そのために、カメラ本体１０と撮影レンズ鏡筒３０とには、それぞれに通信用接点３９ａ，３９ｂが設けられていて、両者を連結した状態としたとき、通信用接点３９ａ，３９ｂが接触し通電するように構成される。
【００３２】
ＳＤＲＡＭ（Synchronous Dynamic Random Access Memory）１９は、プログラム格納用ＲＯＭ（不図示）等に予め記憶されている各種制御用・データ処理用プログラム等を一時的に記憶する作業用のメモリ領域である。
【００３３】
メモリインタフェース２０は、カメラ制御部１１と記録媒体２１との間を媒介し、記録媒体２１へのデータ記録処理若しくは記録媒体２１からのデータ読み出しに寄与する構成部である。
【００３４】
記録媒体２１は、本カメラ１において取得された画像データを記録するためのストレージ手段であって、例えば半導体メモリカードやカード型ＨＤＤ等、小型で可搬型のものが適用される。記録媒体２１は、本カメラ１に対して着脱自在に構成される。また、カメラ本体１０内に固定配置される内蔵メモリの形態で構成されるものも含まれる。
【００３５】
表示用ドライバ２２は、カメラ制御部１１の制御下において表示用ドライバ２２を介して表示装置２３を駆動制御して、画像及び各種情報等を視覚的に識別し得る形態で必要に応じて適宜表示させるためのドライバである。
【００３６】
表示装置２３は、例えばＬＣＤ（Liquid Crystal Display）等のパネル状表示部材を用いて、画像や各種情報等を視覚的に識別し得る形態で表示するための表示部である。表示装置２３は、カメラ制御部１１の制御下で表示用ドライバ２２を介して駆動制御される。
【００３７】
タッチパネルドライバ２４は、カメラ制御部１１の制御下においてタッチパネル２５を駆動制御し、タッチ操作を検出すると共に、その検出結果に応じた操作入力を判定するドライバである。
【００３８】
タッチパネル２５は、上記表示装置２３の表示面上に重ねて配設されており、使用者がパネル面をタッチ操作，タッチ＆スライド操作等を行うことによって、これらの操作に応じて、各種の指定入力などを行なう操作入力手段に含まれる構成部である。
【００３９】
一方、撮影レンズ鏡筒３０は、撮影レンズ３１と、レンズ保持枠３２と、絞り機構３３と、ドライバ３４と、レンズ制御部３５（図１においてはレンズＣＰＵと表記している）と、レンズ通信部３６等を主に具備して構成される。
【００４０】
撮影レンズ３１は、複数の光学レンズからなり、被写体からの光束を受けて光学像を結像させるための構成部である。
【００４１】
レンズ保持枠３２は、上記撮影レンズ３１の各光学レンズをそれぞれ保持するために設けられる構成部である。
【００４２】
絞り機構３３は、上記撮影レンズ３１を透過する光束の光量を調整するために設けられる構成部であって、例えば絞り羽根やこの絞り羽根を駆動する駆動モータ等によって構成される。
【００４３】
レンズ通信部３６は、カメラ本体１０との間で通信を行ない、制御信号等を送受信する構成部である。撮影レンズ鏡筒３０には、上述したようにカメラ本体１０の通信用接点３９ａに対応する通信用接点３９ｂが設けられていて、両者を連結した状態としたとき、通信用接点３９ａ，３９ｂが接触し通電するように構成される。
【００４４】
なお、本実施形態のカメラ１は、その他の機能として顔検出機能，被写体追尾機能等を備えている。顔検出機能，被写体追尾機能は、カメラ制御部１１の制御下において、撮像素子１２の出力信号を受けて生成される画像データに基いて行われる画像処理機能の一つである。これらの顔検出機能，被写体追尾機能は、従来のカメラにおいて適用されているものと同様のものを適用する。したがって、その詳細説明は省略する。その他の構成は、従来のカメラと略同様の構成を具備するものとする。
【００４５】
このように構成される本実施形態のカメラ１における作用の概略を、図２〜図５及び図６，図７を用いて以下に簡単に説明する。
【００４６】
まず、カメラ１の電源をオン状態としてカメラ１を起動させる。この電源オン操作を行なうと、カメラ１は、撮影動作を行ない得る動作モード（撮影モード）で、かつ表示装置２３を被写体観察用のビューファインダーとして使用し得る動作モード（ライブビューモード）で起動する。
【００４７】
使用者１００は、この状態のカメラ１を、図２に示すように、所望の撮影対象としての被写体に向けて構える。そして、使用者１００は、表示装置２３を見ながら、任意のタイミングで該表示装置２３上のタッチパネル２５のパネル面上の所望の部位を手指１０１等によってタッチ操作する。図３は、このときの様子を示すものである。
【００４８】
カメラ１が起動し、表示装置２３の表示画面上にライブビュー表示がなされているとき、その表示画面上には、撮像素子１２によって取得された画像が例えば３０ｆｐｓで連続的に切り換わり表示されている。このときの表示画像は、露出制御部１４が自動的に設定した露出値によって得られる画像である。ここで、露出制御部１４は、撮像素子１２によって得られる画像のうち、例えば略全領域を考慮して測光を行なって適正な露出値を設定する。
【００４９】
このようにして自動的に露出値が設定された適正露出画像（これを基準露出画像，または基準画像という）が表示装置２３によって順次連続的に表示されるライブビュー表示が実行される。このとき、撮影対象によっては、表示装置２３の表示画面上において白トビや黒潰れ等が発生している場合がある。これは、撮像素子１２のラチチュード（latitude：露出寛容度）が狭いために生じる。
【００５０】
例えば図７（Ａ）で示す例では、基準露出画像を符号（ｂ）で示している。この基準露出画像（ｂ）は、対応するヒストグラムイメージ（図７（Ｂ）参照）を見ると、画面略中央部近傍の中間部が適正露出となっており、画面左側部分が低輝度部，画面右側部分が高輝度部となっているものとする（低輝度部及び高輝度部は図中にて斜線を用いて示している）。
【００５１】
このライブビュー表示を行なっている時、使用者１００は、図３に示すように、表示画面上（タッチパネル上）の所望の位置をタッチ操作する。ここで、タッチ操作されるのは、適正露出としたいタッチポイントであって、例えば白トビ，黒潰れ等が発生している部位である。
【００５２】
例えば、図３に示すように、主要被写体としての人物２００が近景にあり、背景にある朝日や夕陽等のように輝度の極めて高い被写体２０１が同一画面上に入り込んでいるものとする。このような状況にあるとき、近景（画面中心部近傍領域）の被写体を主要被写体として見なし、これに重点を置いて露出値を設定する通常の露出設定動作が行われる場合、人物２００が適正露出になる一方、高輝度被写体２０１は露出オーバー状態となってしまいいわゆる白トビが生じる。なお、図３においては、被写体２０１が露出オーバーであることを表わすために、当該被写体２０１を点線で図示している。ここで、通常の露出設定とは、例えば従来の撮影機器において一般に適用される測光方式、例えば平均測光，中央部重点測光，多分割測光等によって得られた露出値に基いて適正露出を設定する一般的な手段をいう。
【００５３】
そこで、本実施形態のカメラ１においては、このような場合に、現時点（図３の状態）で適正露出となっている人物２００に対する露出状態を維持しつつ、同一画面内で露出オーバーとなっている領域（高輝度部位）の画像を適正露出の状態で表示させることができる。そのために、当該被写体２０１を含む領域を、タッチ操作している（符号Ｐ参照）。
【００５４】
このようにタッチ操作を行なって指定される領域Ｐを含む画像に重点を置いて同領域が適正露出となるような自動露出設定処理が行なわれると、図４に示すように、領域Ｐ（被写体２０１）が適正露出画像になる反面、図３の状態で適正露出だった領域（人物２００）の部分等が露出アンダー状態の画像になる。
【００５５】
例えば、これと同じ状態を、図７（Ａ）で示す例で説明すると次のようになる。即ち、画面右側部の高輝度部位が適正露出となるように設定される場合、画面略中央部及び画面左側部（図中斜線部位）では露出アンダーとなる（符号（ｃ）で示す図参照）。
【００５６】
一方、上述の例とは反対に、図７（Ａ）で示す例において、画面左側部の低輝度部位が適正露出となるように設定される場合、画面略中央部及び画面右側部（図中斜線部位）では露出オーバーとなる（符号（ａ）で示す図参照）。
【００５７】
なお、本実施形態のカメラ１においては、表示装置２３の表示面上にタッチパネル２５のパネルを重なるようにして配設するものとしている。表示装置２３の解像度とタッチパネル２５の解像度とは、必ずしも一致しているわけではない。したがって、表示装置２３の座標系とタッチパネル２５の座標系とを一致させる必要がある。
【００５８】
例えば表示装置２３が、図６（Ａ）に示すように、有効画像領域について縦軸＝Ｙ，横軸＝Ｘとし、画像サイズ（解像度）＝ｉＸ × ｉＹ（ｄｏｔ）であるものとする。一方、タッチパネル２５の有効領域について縦軸＝Ｙ，横軸＝Ｘとし、パネルサイズ＝ｔＸ × ｔＹであるものとする。
【００５９】
ここで、タッチパネル２５上の任意の点における座標（ｘ，ｙ）を、表示装置２３における画像上の座標（Ｘ，Ｙ）に変換するためには、次式
Ｘ＝（ｉＸ × （ｘ／ｔＸ））
Ｙ＝（ｉＹ × （ｙ／ｔＹ））
を用いる。この座標変換の演算は、上記タッチパネル２５に対するタッチ操作の操作入力信号により指定された座標に基いて、例えばカメラ制御部１１において行われる。
【００６０】
本実施形態のカメラ１においては、上述のようにして、適正露出とする部位の異なる複数の画像データ（図３，図４の各画像データ）を取得した後、これらの複数画像データに基いて、各画像データ毎に適正露出となっている画像領域を考慮した画像合成処理を行なう。これによって、図５に示すように、一画面内に輝度差のある被写体を含む画像であっても、各領域のそれぞれが適正露出となり、画面全体で白トビや黒潰れのない一つの画像を表わす画像データを取得することができる。このような一連の画像処理（即ち、ハイダイナミックレンジ画像（high dynamic range imaging：以下、ＨＤＲ画像と略記する）合成処理というものとする。そして、これを行う動作モードを、ＨＤＲモードというものとする。
【００６１】
つまり、ＨＤＲモードにおける画像合成処理では、図７（Ａ）で示す例の実画像（ａ），（ｂ），（ｃ）にそれぞれ対応するヒストグラムイメージ（図７（Ｂ）参照）において、それぞれの画像で適正露出とする領域の画像を切り出して、これらを合成処理することになる。その結果、図７（Ｄ）で示すような合成画像が生成される。なお、この合成画像に対応するヒストグラムイメージは、図７（Ｃ）に示すようになる。したがって、この合成画像では、白トビ，黒潰れ等が解消され、全画面にわたって略適正露出による画像とすることができる。
【００６２】
以上のような本実施形態のカメラ１による作用について、カメラ制御の処理シーケンスを、図８，図９のフローチャートによって以下に説明する。
【００６３】
まず、図８のステップＳ１において、カメラ制御部１１は、操作制御部１６を介して操作部１７からの出力信号を監視し電源オン信号が検出されたか否かを確認する。ここで、電源オン信号が検出されるまで、監視を続け、同信号が検出された場合には、次のステップＳ２の処理に進む。
【００６４】
ステップＳ２において、カメラ制御部１１は、通信用接点３９ａ，３９ｂで接続されているカメラ通信部１８，レンズ通信部３６を介して、撮影レンズ鏡筒３０のレンズ制御部３５との間で所定の通信処理を実行する。
【００６５】
続いて、ステップＳ３において、カメラ制御部１１は、カメラ１の動作モードが撮影モードに設定されているか否かの確認を行なう。ここで、撮影モードが設定されていることが確認された場合には、次のステップＳ４の処理に進む。また、撮影モード以外の動作モードが設定されていることが確認された場合には、ステップＳ２１の処理に進む。
【００６６】
ステップＳ４において、カメラ制御部１１は、レンズ制御部３５を介してドライバ３４を制御して、撮影レンズ３１，絞り機構３３等を駆動させると共に、撮像素子１２，表示装置２３等を制御して撮像処理及び仮記録処理を実行すると共に、同じ画像データに基いて表示装置２３において表示処理を行う。これにより、表示装置２３にはライブビュー表示が行われる。なお、上記仮記録処理による処理結果（基準露出画像データ）は、一時メモリ１３等に順次一時的に記録される。
【００６７】
続いて、ステップＳ５において、カメラ制御部１１は、タッチ操作による加算処理を行うか否かの判定を行なう。このステップＳ５の処理の詳細は図９によって後述する。
【００６８】
即ち、図９のステップＳ３１において、カメラ制御部１１は、タッチパネルドライバ２４を介してタッチパネル２５からの入力信号を監視して、タッチ操作による入力信号が検出されたか否かの確認を行なう。ここで、タッチ信号が検出された場合には、次のステップＳ３２の処理に進む。また、タッチ信号が検出されない場合には、図８のステップＳ１０の処理に進む。
【００６９】
上述のステップＳ３１の処理にて、タッチ信号が検出されて、ステップＳ３２の処理に進むと、このステップＳ３２において、カメラ制御部１１は、タッチ操作によって指示された領域に顔画像が含まれているか否かの確認を行なう。ここで、顔画像が取得された場合には、ステップＳ３４の処理に進む。また、顔画像が取得されない場合には、次のステップＳ３３の処理に進む。
【００７０】
上述のステップＳ３２の処理にて、顔画像が取得されて、ステップＳ３４の処理に進むと、このステップＳ３４において、カメラ制御部１１は、取得された顔画像について、顔輪郭を検出し、顔輪郭内の画像をモニタする。その後、ステップＳ３５の処理に進む。
【００７１】
一方、上述のステップＳ３２の処理にて、顔画像が取得されずに、ステップＳ３３の処理に進むと、このステップＳ３３において、カメラ制御部１１は、タッチ操作によって指示された部位（座標）を中心とする所定範囲の領域（例えば画面全面積に対して１／１０の矩形状領域）の画像をモニタする。その後、ステップＳ３５の処理に進む。
【００７２】
ステップＳ３５において、カメラ制御部１１は、モニタ領域について、露出量の１０％以下となる部分（低輝度部分；例えば約−３ＥＶ相当の部分）がそのモニタ領域の半分以上を占めるか否かを確認する。ここで、低輝度部分が半分以上であることが確認された場合には、図８のステップＳ６の処理に進む。一方、低輝度部分が半分未満であることが確認された場合には、ステップＳ３６の処理に進む。
【００７３】
ステップＳ３６において、カメラ制御部１１は、モニタ領域について、露出飽和以上の部分（高輝度部分）がそのモニタ領域の半分以上を占めるか否かを確認する。ここで、高輝度部分が半分以上であることが確認された場合には、図８のステップＳ６の処理に進む。一方、高輝度部分が半分未満であることが確認された場合には、図８のステップＳ１０の処理に進む。
【００７４】
上述のようにして、加算処理を行なうか否かの判定の結果、図８のステップＳ６の処理に進むと、このステップＳ６において、カメラ制御部１１は、カメラ本体１０側の電気的な制御（即ちシャッタ速度値若しくは感度値の変更）のみで露出補正画像の取得が可能であるか否かの確認を行なう。ここで、露出補正画像とは、基準露出画像に対して露出を変更して得られる画像をいう。露出を変更するためには、例えばシャッター速度値，絞り値を変更することに加えて電気的に感度値を変更するといった手段がある。通常、低輝度部分に対しては高感度設定とする（ゲインアップ）という手段によって露出を引き上げることができるが、この手段はゲインノイズが増大し画質劣化を招く可能性がある。一方、高輝度部分に対しては低感度設定とする（ゲインダウン）することで露出を引き下げることができるが、この手段ではシャッター速度が低下することに伴い、像ブレを招く可能性がある。したがって、露出変更は主にシャッター速度値，絞り値の変更によるのが望ましい。しかしながら、被写体の輝度状態によっては、シャッター速度値，絞り値の変更のみでは対応し切れないことがある。そのような場合には、感度値変更によって対応するようにすればよい。
【００７５】
上述のステップＳ６の処理にて、露出補正画像の取得がカメラ本体１０側のみで可能である場合には、ステップＳ８の処理に進む。また、撮影レンズ鏡筒３０側の絞り機構３３の制御を必要とする場合には、ステップＳ７の処理に進む。
【００７６】
ステップＳ７において、カメラ制御部１１は、カメラ通信部１８，レンズ通信部３６を介してレンズ制御部３５との間でレンズ通信処理を行う。これにより、レンズ制御部３５は、ドライバ３４を介して絞り機構３３の駆動制御を行う絞り制御処理を実行する。この絞り制御処理は、カメラ制御部１１の制御下において露出制御部１４により算出される露出値に基いて行われる。
【００７７】
続いて、ステップＳ８において、カメラ制御部１１は、露出制御部１４による露出値に基いてシャッタ速度値や感度値変更処理を行なって、加算用画像を取得する。こうして取得された加算用画像データは、一時メモリ１３に一時記録される。ここで、加算用画像とは、上記基準露出画像に対して異なる露出による画像であって、上記露出補正画像と同義である。その後、ステップＳ９の処理に進む。
【００７８】
ステップＳ９において、カメラ制御部１１の画像処理部１５は、上述のステップＳ４の仮記録処理によって一時記録されている基準画像データに対して、上述のステップＳ８の処理にて得られた加算用画像データを加算処理（合成処理）を行なう。こうして得られた加算処理結果の合成画像は、表示装置２３に表示される。その後、ステップＳ１１の処理に進む。
【００７９】
なお、上述のステップＳ５の判定処理にてステップＳ１０の処理に進んだ場合には、このステップＳ１０において、カメラ制御部１１は、加算（合成）処理を行なわない撮像結果の画像、即ち上述のステップＳ４の処理にて一時的に仮記録された画像（基準露出画像）を表示装置２３に表示する。その後、ステップＳ１１の処理に進む。
【００８０】
ステップＳ１１において、カメラ制御部１１は、操作制御部１６を介して操作部１７を監視すると共に、タッチパネルドライバ２４を介してタッチパネル２５を監視して、撮影動作を実行するための操作、即ちレリーズ操作が行なわれたか否かの確認を行なう。具体的には、例えば、操作部１７に含まれるレリーズ部材（不図示）からのレリーズ信号、若しくはタッチパネル２５からのレリーズ信号等が発生したか否かの確認を行う。ここで、レリーズ信号の発生が検出された場合には、次のステップＳ１２の処理に進む。また、レリーズ信号の発生が検出されない場合には、上述のステップＳ１の処理に戻り、以降の処理を繰り返す。
【００８１】
ステップＳ１２において、カメラ制御部１１は、撮影処理及び記録処理を実行する。ここで行われる撮影処理及び記録処理は、上述のステップＳ９の処理にて取得されている加算（合成）済み画像データ、若しくは上述のステップＳ１０の処理にて表示処理された画像データ（即ちステップＳ４にて一時記録された基準露出画像データ）についての記録処理である。その後、ステップＳ１の処理に戻り、以降の処理を繰り返す。
【００８２】
一方、上述のステップＳ３の処理にて、撮影モード以外の動作モードが設定されているものと判断されて、ステップＳ２１の処理に進むと、このステップＳ２１において、カメラ制御部１１は、カメラ１の動作モードが再生モードに設定されているか否かの確認を行なう。ここで、再生モードが設定されていることが確認された場合には、次のステップＳ２２の処理に進む。また、設定されている動作モードが再生モードではない場合には、ステップＳ１の処理に戻り以降の処理を繰り返す。
【００８３】
なお、通常の場合、カメラの動作モードとしては、大きく分けて撮影モードと再生モードとがあるが、これ以外の動作モードを持つものもある。その場合には、ステップＳ２１の処理からさらに分岐ステップを設けて動作モードの確認を行なうようにすればよい。しかしながら、撮影モード以外のその他の動作モードの作用については、本発明とは直接関連しない部分であるので、それらの説明及び図示は省略する。そして、図８の処理シーケンスにおいて、現在設定されている動作モードが撮影モード，再生モードのいずれでもない場合には、簡易的に初期のステップＳ１に戻るようにしている。
【００８４】
ステップＳ２２において、カメラ制御部１１は、メモリインタフェース２０を介して記録媒体２１を制御して画像データの読み込みを行なうと共に、表示用ドライバ２２を介して表示装置２３を制御して、所定の画像再生処理を実行する。
【００８５】
続いて、ステップＳ２３において、カメラ制御部１１は、変更処理を実行するか否かの確認を行なう。ここで、変更処理とは、例えば過去に行なわれた撮影動作によって取得され記録媒体２１に記録済みの画像データに基いて、記録済み画像データのパラメータを変更し異なる露出画像を取得した後、ここで新たに取得した画像データと既に記録済みの画像データとを合成処理する等の画像処理である。なお、画像処理は、カメラ制御部１１の制御下において画像処理部１５にて行われる。
【００８６】
上述のステップＳ２３の処理にて、変更処理を行なうべき操作指示信号が検出された場合には、ステップＳ２４の処理に進み、このステップＳ２４の処理にて、上述の撮影動作時に行われる画像加算（合成）処理と略同様の画像変更処理が実行される。その後、上述のステップＳ１の処理に戻り以降の処理を繰り返す。
【００８７】
また、上述のステップＳ２３の処理にて、変更処理を行なうべき操作指示信号が検出さない場合には、上述のステップＳ１の処理に戻り以降の処理を繰り返す。
【００８８】
以上説明したように上記第１の実施形態によれば、カメラ１を撮影モードでライブビュー表示を行ないながら動作させた時には、ライブビュー用の画像データを基準露出画像データとして自動的に順次仮記録しておくと共に、使用者のタッチ操作をトリガーとし、そのタッチ操作によって指示された領域に露出の重点を置いた画像（基準露出画像とは異なる露出の画像）を取得し、これら複数（二枚）の画像データに基いて、適正露出部分の画像を加算（合成）処理することにより、全画面領域で適正露出となるＨＤＲ画像を、撮影動作時と同時に容易に取得することができる。そして、使用者がタッチ操作によって指定した領域（所望被写体）に合わせた画像処理を行うようにしているので、使用者の意図を反映させることができる。また、使用者は、記録動作前に合成画像処理結果を確認することができる（プレビュー表示）ので、意図に反する処理結果の場合には記録動作前に、直前の処理結果をキャンセルし、再度のやり直し操作を行なうことができる。したがって、使用者は、自分の表現意図を反映させて、かつ不自然さを解消したＨＤＲ画像を、確実に取得することができる。
【００８９】
ＨＤＲ画像を取得するための一連の操作によって得られる各画像データは、一時メモリ１３に一時的に記録するようにしておくと同時に、表示装置２３によって表示させるようにしたので、使用者は、画像処理結果を予め表示装置２３の表示にて確認することができる。この時点においては、画像データは一時記録されているだけであるので、確認の結果不要と判断された場合には、記録媒体２１に対する記録処理を省略することができる。したがって、記録媒体２１の駆動など、記録処理に要する処理を軽減し、よって処理シーケンスの効率化及び消費電力の省力化に寄与することができる。
【００９０】
［第２の実施形態］
次に、本発明の第２の実施形態の撮影機器であるカメラについて、図１０〜図２２を用いて以下に説明する。
【００９１】
本実施形態のカメラの基本的な構成は、上述の第１の実施形態の構成と全く同様であって、その処理シーケンスが若干異なる。
【００９２】
上述の第１の実施形態のカメラでは、通常の測光及び露出設定手段によって基準露出画像を取得すると共に、使用者のタッチ操作による指示によって異なる露出の画像データを取得し、これら二枚の画像を加算（合成）処理を行なってＨＤＲ画像を取得するというものであった。
【００９３】
これに対し、本実施形態のカメラにおいては、
（１）基準露出画像に加えて、使用者による複数回のタッチ操作によって三枚（若しくはそれ以上）の画像を取得して、同様の加算（合成）処理を行ないＨＤＲ画像を得る、
（２）基準露出画像に加えて、使用者は範囲指定を一度行うのみで複数枚の異なる露出の画像データを取得して、同様の加算（合成）処理を行ないＨＤＲ画像を得る、
（３）動画記録時の効果的表現手段として適宜のタイミングでＨＤＲ画像を得る、
という三つの異なる作用を有している。したがって、本実施形態の説明においては、カメラ自体の構成についての説明は省略し、上述の第１の実施形態で用いた図面を参照しながら同じ構成部材には同じ符号を用いて説明する。
【００９４】
図１０は、本発明の第２の実施形態の撮影機器（カメラ）によるカメラ制御の処理シーケンスを示すフローチャートである。図１１は、図１０の処理シーケンスのうちＨＤＲシーケンス（ステップＳ４５）のサブルーチンを示すフローチャートである。図１２は、図１１の処理シーケンスのうち領域指定（ステップＳ４７）のサブルーチンを示すフローチャートである。
【００９５】
図１３は、図１１の処理シーケンスのうちＨＤＲシーケンスのケースＡ（ステップＳ４９）の詳細を示すフローチャートである。
【００９６】
図１４は、図１３の処理シーケンスのうち指定領域測光Ｌ（ステップＳ６２，Ｓ７６）のサブルーチンを示すフローチャートである。図１５は、図１３の処理シーケンスのうち指定領域測光Ｈ処理（ステップＳ７１，Ｓ７９）のサブルーチンを示すフローチャートである。
【００９７】
図１６は、図１１の処理シーケンスのうちＨＤＲシーケンスのケースＢ（ステップＳ５０）の詳細を示すフローチャートである。
【００９８】
なお、図１３の処理シーケンスにおける領域指定（ステップＳ６９，Ｓ８６）は、上記図１２のサブルーチンと同様の処理が適用される。また、図１６の処理シーケンスにおける指定領域測光Ｌ（ステップＳ１１１）は、上記図１４のサブルーチンと同様の処理が適用される。図１６の処理シーケンスにおける指定領域測光Ｈ処理（ステップＳ１１２）は、上記図１５のサブルーチンと同様の処理が適用される。
【００９９】
図１７は、図１０の処理シーケンスのうち動画記録（ステップＳ４３）の詳細を示すフローチャートである。図１８は、図１７の処理シーケンスのうちＨＤＲ測光，露出制御処理（ステップＳ２１２，Ｓ２２０）のサブルーチンを示すフローチャートである。
【０１００】
図１９〜図２１は、本実施形態の撮影機器（カメラ）による作用を説明する図である。このうち図１９は、複数回のタッチ操作によって三枚（若しくはそれ以上）の加算用画像を取得する場合のシーケンスを示す説明図である。図２０は、範囲指定を一度行うのみで複数枚の異なる露出の画像データを取得する場合のシーケンスを示す説明図である。図２１は、動画記録時のＨＤＲ画像を取得する場合のシーケンスを示す説明図である。図２２は、動画記録時のＨＤＲ画像を取得する場合のシーケンスを示すタイミングチャートである。
【０１０１】
まず、カメラ１の電源がオン状態とされており、該カメラ１が起動している状態にあるものとする。
【０１０２】
このときの表示装置２３の状態は、例えば図１９（Ａ），図２０（Ａ）の表示画面２３ａとして例示する。表示画面２３ａには、記録中のライブビュー画像が表示される。また、表示画面２３ａ中の所定の部位（図では右下隅部）には、後述する「ＨＤＲコントロール」アイコン５１が当該ライブビュー画像に重畳表示されている。
【０１０３】
このとき、図１０のステップＳ４１において、カメラ制御部１１は、カメラ１の動作モードが撮影モードであるか否かの確認を行なう。ここで、撮影モードに設定されていることが確認されると、次のステップＳ４２の処理に進む。
【０１０４】
ステップＳ４２において、カメラ制御部１１は、操作制御部１６を介して操作部１７からの出力信号、若しくはタッチパネルドライバ２４を介してタッチパネル２５からの出力信号を監視して、動画記録動作を開始させるための指示信号が生じたか否かの確認を行う。ここで、動画記録開始指示信号が確認された場合には、次のステップＳ４３の処理に進む。また、動画記録開始指示信号が確認されない場合には、ステップＳ４４の処理に進む。
【０１０５】
ステップＳ４３において、カメラ制御部１１は、所定の動画記録を実行する。なお、この動画記録の詳細は、図１７によって後述する。
【０１０６】
なお、ここで動画記録が開始されたときの表示装置２３の状態は、例えば図２１（Ａ）の表示画面２３ａとして例示する。表示画面２３ａには、記録中のライブビュー画像が表示される。また、表示画面２３ａ中の所定の部位には、後述する「ＨＤＲコントロール」アイコン５１（図では右下隅部）や、後述する「●ＲＥＣ」アイコン５７（図では左上隅部）等が当該ライブビュー画像に重畳表示されている。
【０１０７】
一方、ステップＳ４４において、カメラ制御部１１は、タッチパネルドライバ２４を介してタッチパネル２５からの出力信号を監視して、「ＨＤＲコントロール」アイコン５１がタッチ操作されたか否かの確認を行う。この「ＨＤＲコントロール」アイコン５１とは、ＨＤＲ処理を開始することを指示するための操作指示手段であって、例えば表示装置２３の表示画面上に絵文字等のアイコンとして表示されるものである。このアイコンは、タッチパネル２５と連繋して操作指示手段として機能するように構成される。なお、「ＨＤＲコントロール」アイコン５１の具体的な例示として、図１９（Ａ），図２０（Ａ）の表示画面２３ａにおける符号５１を参照。
【０１０８】
ここで、使用者による「ＨＤＲコントロール」アイコン５１へのタッチ操作がなされて、対応する指示信号が確認された場合には、次のステップＳ４５の処理に進む。また、「ＨＤＲコントロール」アイコン５１のタッチ信号が確認されない場合には、ステップＳ４２の処理に戻り、以降の処理を繰り返す。
【０１０９】
ステップＳ４５において、カメラ制御部１１は、所定のＨＤＲ処理のシーケンスを実行する。このＨＤＲ処理シーケンスの詳細は図１１によって以下に説明する。
【０１１０】
使用者が「ＨＤＲコントロール」アイコン５１へのタッチ操作を行うと、表示装置２３の表示画面２３ａには、図１９（Ｂ），図２０（Ｂ）に示すように、ライブビュー画像に重畳させて「タッチしてください」等のガイド表示５５が表示される。このガイド表示５５の表示処理は、カメラ制御部１１が表示用ドライバ２２を介して表示装置２３を制御することにより行われる。
【０１１１】
同時に、図１１のステップＳ４６において、カメラ制御部１１は、情報初期化処理を実行する。この情報初期化処理とは、ＨＤＲ処理に関する各種設定値等を初期化する処理である。
【０１１２】
続いて、ステップＳ４７において、カメラ制御部１１は、領域指定を実行する。この領域指定の詳細は図１２に示す通りである。
【０１１３】
即ち、図１２のステップＳ５１において、カメラ制御部１１は、タッチパネルドライバ２４を介してタッチパネル２５からの出力信号を監視して、タッチ操作による指示信号が生じているか否か、及び同信号が発生している場合に、所定時間以上継続しているか否かの確認を行う。ここで、タッチ指示信号が確認されない場合には、同信号が確認されるまで同じ処理を繰り返す。そして、タッチ指示信号が検出された場合において、所定時間未満のタッチ指示信号である場合には、次のステップＳ５２の処理に進む。また、所定時間以上継続するタッチ指示信号が確認された場合には、ステップＳ５４の処理に進む。
【０１１４】
ここで、使用者がタッチ操作をするのは、表示中のライブビュー画像（基準露出画像）に対して、異なる露出の画像データを取得するための部位、例えば白トビ（明部領域）や黒潰れ（暗部領域）等が生じている部位である。例えば図１９（Ｃ），図２０（Ｃ）に示す例では、表示画面２３ａ中の符号２０１で示す被写体を明部領域とする。
【０１１５】
この場合において、例えば符号２０１の被写体を短時間タッチ操作すると、図１２のステップＳ５２において、カメラ制御部１１は、固定領域指定を実行する。この固定領域指定は、短時間タッチ操作で指示されたタッチパネル２５のパネル上の座標に対応する表示画面２３ａ上の座標位置を中心として、予め設定されている所定範囲の画像領域（固定領域）を指定する処理である。この固定領域指定にて指定される領域は、例えば、図１９（Ｃ）の符号６１で示されるような矩形状の領域とする。その後、ステップＳ５３の処理に進む。
【０１１６】
ステップＳ５３において、カメラ制御部１１は、上述のステップＳ５２の固定領域指定にて指定された領域についての枠表示処理を実行する。この枠表示処理は、例えば図１９（Ｃ），図２０（Ｃ）で示すような矩形状の枠表示６１を表示する処理である。その後、元の処理シーケンスに復帰し、図１１のステップＳ４８の処理に進む（リターン）。
【０１１７】
一方、例えば符号２０１の被写体を所定の時間以上継続してタッチ操作すると、図１２のステップＳ５４の処理に進む。
【０１１８】
ステップＳ５４において、カメラ制御部１１は、同様にタッチパネルドライバ２４を介してタッチパネル２５からの出力信号を監視して、タッチ操作によるスライド指示信号が生じているか否かの確認を行う。ここで、スライド指示信号が確認されなかった場合には、上述のステップＳ５１の処理に戻り、以降の処理を繰り返す。また、スライド指示信号が確認された場合には、次のステップＳ５５の処理に進む。
【０１１９】
ステップＳ５５において、カメラ制御部１１は、指定領域決定処理を実行する。この指定領域決定処理は、例えば所定時間以上の継続的なタッチ操作によって指示されたタッチパネル２５上の座標に対応する表示画面２３ａ上の座標位置と、そのタッチ操作を維持しつつスライド操作を行って指示されることによりタッチ操作の最終点位置に相当するタッチパネル２５座標に対応する表示画面２３ａ上の座標位置とを結ぶ線を対角線として規定される略矩形状の所定範囲の画像領域（指定領域）を指定する処理である。図２０（Ｃ）に示す例では、符号６３に示す矩形状領域としている。その後、ステップＳ５３の処理に進み、同様に枠表示６１表示する枠表示処理が実行される。その後、元の処理シーケンスに復帰し、図１１のステップＳ４８の処理に進む（リターン）。
【０１２０】
図１１に戻って、ステップＳ４８において、カメラ制御部１１は、上述のステップＳ４７の処理（図１２の領域指定サブルーチン）にて指定，決定された指定領域の画像に関し、指定領域内の画像において輝度差が小さいか否かの確認を行う。この確認は、露出制御部１４を介して基準露出画像データに基いて行われる。ここで、指定領域内において輝度差が小さいことが確認された場合には、上記（１）項に示す場合（複数回タッチによる複数枚画像取得）であると判断され、ステップＳ４９の処理に進む。また、指定領域内において輝度差が大きいことが確認された場合には、上記（２）項に示す場合（一度の範囲指定により複数枚画像取得）であると判断され、ステップＳ５０の処理に進む。
【０１２１】
ステップＳ４９において、カメラ制御部１１は、ＨＤＲシーケンスケースＡを実行する。その後、元の処理シーケンスに復帰し、図１０のステップＳ４１の処理に戻る（リターン）。このＨＤＲシーケンスケースＡの詳細は、図１３によって後述する。
【０１２２】
一方、ステップＳ５０において、カメラ制御部１１は、ＨＤＲシーケンスケースＢを実行する。その後、元の処理シーケンスに復帰し、図１０のステップＳ４１の処理に戻る（リターン）。このＨＤＲシーケンスケースＢの詳細は、図１６によって後述する。
【０１２３】
ここで、上記ＨＤＲシーケンスケースＡ（図１１のステップＳ４９）の詳細を、図１３のフローチャートによって説明する。
【０１２４】
まず、図１３のステップＳ６１において、カメラ制御部１１は、露出制御部１４を介して基準露出画像データに基いて、上述の図１１のステップＳ４７の処理（図１２の領域指定サブルーチン）にて指定，決定された指定領域の画像部分の輝度と、基準露出画像の指定領域以外の画像部分の輝度との比較を行う。ここで、「指定領域の輝度＜基準画像の輝度」であると判断された場合には、ステップＳ６２の処理に進む。また、「指定領域の輝度＜基準画像の輝度」ではないと判断された場合には、ステップＳ７９の処理に進む。
【０１２５】
ステップＳ６２において、カメラ制御部１１は、露出制御部１４を介して指定領域測光Ｌを実行する。指定領域測光Ｌの詳細は図１４に示す通りである。
【０１２６】
ここで、図１４に示す指定領域測光Ｌのサブルーチンを詳述する。即ち、図１４のステップＳ１０１において、カメラ制御部１１の露出制御部１４は、ライブビュー（ＬＶ）画像評価値で指定領域における暗部領域（暗いエリア）を選択する。
【０１２７】
次いで、ステップＳ１０２において、カメラ制御部１１の露出制御部１４は、上述のステップＳ１０１の処理にて選択した暗部領域の画像の輪郭データを一時的に記録する。
【０１２８】
続いて、ステップＳ１０３において、カメラ制御部１１の露出制御部１４は、暗部領域が適正露出となるように測光を行う。その後、元の処理シーケンスに復帰し、図１３のステップＳ６３の処理に進む。
【０１２９】
一方、ステップＳ７９において、カメラ制御部１１は、露出制御部１４を介して指定領域測光Ｈ処理を実行する。指定領域測光Ｈ処理の詳細は図１５に示す通りである。
【０１３０】
ここで、図１５に示す指定領域測光Ｈ処理のサブルーチンを詳述する。即ち、図１５のステップＳ１０６において、カメラ制御部１１の露出制御部１４は、ライブビュー（ＬＶ）画像評価値で指定領域における明部領域（明るいエリア）を選択する。
【０１３１】
次いで、ステップＳ１０７において、カメラ制御部１１の露出制御部１４は、上述のステップＳ１０６の処理にて選択した明部領域の画像の輪郭データを一時的に記録する。
【０１３２】
続いて、ステップＳ１０８において、カメラ制御部１１の露出制御部１４は、明部領域が適正露出となるように測光を行う。その後、元の処理シーケンスに復帰し、図１３のステップＳ６３の処理に戻る（リターン）。
【０１３３】
ステップＳ６３において、カメラ制御部１１は、被写体追尾処理を実行する。この被写体追尾処理とは、指定された被写体、例えば上記指定領域内の被写体に関し、これが画面内で移動しても、その移動に応じて画面内における位置を追尾し続ける処理である。この被写体追尾処理は、従来のカメラで一般に実用化されている処理シーケンスが適用される。従って、その詳細説明は省略する。
【０１３４】
続いて、ステップＳ６４において、カメラ制御部１１は、フレームレート制御処理を実行する。表示装置２３の表示画面２３ａにライブビュー画像を表示させるとき、通常の場合には例えば３０ｆｐｓのフレームレートで表示制御が行われる。ところが、上述したようにＨＤＲ処理を行う際には、複数の画像データを取得する必要がある。この複数の画像データは、できるだけ短時間に取得されるのが望ましい。そのために、フレームレートを制御することによって、単位時間内で複数画像データを取得し得るようにしている。例えば、通常３０ｆｐｓのところを三倍の９０ｆｐｓとなるよう表示制御される。
【０１３５】
ステップＳ６５において、カメラ制御部１１は第１ＨＤＲ処理を行い、その処理結果を出力（表示）する。ここで、第１ＨＤＲ処理とは、基準露出画像とは異なる露出で取得した画像データ（この場合は、暗部に露出を合わせた画像データ；第１ＨＤＲ画像という）を取得する処理である。
【０１３６】
ここまでの処理によって、表示画面２３ａの表示状態は、図１９（Ｃ）から図１９（Ｄ）へと移行する。即ち、上述したように、使用者がタッチ操作によって指定領域を指定し、その指定領域が枠表示された状態にあるとき（図１９（Ｃ）参照）、当該指定領域（第１指定領域という）に関して「測光を行い適正輝度を算出する」処理、即ち上記第１ＨＤＲ処理が実行される。そして、その処理結果の画像（第１ＨＤＲ画像）が、図１９（Ｄ）に示すように表示画面２３ａに表示される。そして、この第１ＨＤＲ処理が実行された後、表示画面２３ａには、図１９（Ｄ）に示すように、ライブビュー画像に重畳させて、表示画面２３ａ中の所定の部位（図では右下隅部）に「戻る」アイコン５２や「追加」アイコン５３，「ＯＫ」アイコン５４等が表示される。
【０１３７】
図１３に戻って、ステップＳ６６において、カメラ制御部１１は、タッチパネルドライバ２４を介してタッチパネル２５からの出力信号を監視して「戻る」アイコン５２に相当する部位がタッチ操作されたか否かの確認を行う。ここで、「戻る」アイコン５２のタッチ操作が確認された場合には、ステップＳ６７の処理に進む。
【０１３８】
続いて、ステップＳ６７において、カメラ制御部１１は、第１ＨＤＲ処理を解除する処理を実行する。その後、元の処理シーケンスに復帰し、図１０のステップＳ４１の処理に戻る（リターン）。このとき、表示画面２３ａの表示は、図１９（Ｄ）の状態から図１９（Ａ）の状態に戻る。
【０１３９】
一方、上述のステップＳ６６の処理において、「戻る」アイコン５２のタッチ操作が確認されない場合には、ステップＳ６８の処理に進む。
【０１４０】
続いて、ステップＳ６８において、カメラ制御部１１は、同様にタッチパネルドライバ２４を介してタッチパネル２５からの出力信号を監視して「戻る」アイコン５２に相当する部位以外の部位、例えば図１９（Ｄ）に示す「追加」アイコン５３がタッチ操作されたか否かの確認を行う。この「追加」アイコン５３は、追加のＨＤＲ処理を実行する指示を行うための指示信号を発生させる操作手段である。ここで、「追加」アイコン５３のタッチ操作が確認された場合には、ステップＳ６９の処理に進む。また、「追加」アイコン５３のタッチ操作が確認されない場合には、ステップＳ７５の処理に進む。
【０１４１】
なお、「追加」アイコン５３のタッチ操作が確認された場合、表示画面２３ａには、まず図１９（Ｅ）で示すように、ライブビュー画像に重畳させて「タッチしてください」等のガイド表示５５が表示される。なお、このときライブビュー画像は、基準露出画像データに基く画像に戻っている。
【０１４２】
そして、図１３のステップＳ６９において、カメラ制御部１１は、第２回目の領域指定（図１２参照）を実行する。これにより指定された指定領域を第２指定領域というものとする。
【０１４３】
この第２回目の領域指定においては、例えば図１９（Ｆ）に示す表示画面２３ａにおいて、人物２００を指定するものとする。これにより、当該人物２００を含む領域に枠表示６２が行われる。
【０１４４】
続いて、ステップＳ７０において、カメラ制御部１１の露出制御部１４は、上記第２指定領域の画像部分の輝度と、基準露出画像の指定領域以外の画像部分の輝度との比較を行う。ここで、「指定領域の輝度＞基準画像の輝度」であると判断された場合には、ステップＳ７１の処理に進む。また、「指定領域の輝度＞基準画像の輝度」ではないと判断された場合には、ステップＳ７６の処理に進む。
【０１４５】
ステップＳ７１において、カメラ制御部１１は、露出制御部１４を介して指定領域測光Ｈ処理（詳細は図１５のサブルーチン）を実行する。その後、ステップＳ７２の処理に進む。
【０１４６】
一方、ステップＳ７６において、カメラ制御部１１は、指定領域測光Ｌ（詳細は図１４のサブルーチン）を実行する。その後、ステップＳ７２の処理に進む。
【０１４７】
ステップＳ７２において、カメラ制御部１１は、第２ＨＤＲ処理を行い、その処理結果を出力（表示）する。ここで、第２ＨＤＲ処理とは、基準露出画像とは異なる露出で取得した画像データ（この場合は、明部（ステップＳ７１）若しくは暗部（ステップＳ７６）に露出を合わせた画像データ；第２ＨＤＲ画像という）を取得する処理である。
【０１４８】
ここまでの処理によって、表示画面２３ａの表示状態は、図１９（Ｆ）から図１９（Ｇ）へと移行する。即ち、上述したように、使用者がタッチ操作によって指定領域を指定し、その指定領域が枠表示された状態にあるとき（図１９（Ｆ）参照）、この第２指定領域に関して「測光を行い適正輝度を算出する」処理、即ち上記第２ＨＤＲ処理が実行される。そして、その処理結果の画像データと、上記第１ＨＤＲ処理結果の画像データと、基準露出画像データとに基いて画像処理部１５によってＨＤＲ画像合成処理した結果の画像が、図１９（Ｇ）に示すように表示画面２３ａに表示される。さらに、表示画面２３ａには、図１９（Ｇ）に示すように、ＨＤＲ画像合成処理済みのライブビュー画像に重畳させて、表示画面２３ａ中の所定の部位（図では右下隅部）に「戻る」アイコン５２，「追加」アイコン５３，「ＯＫ」アイコン５４等が表示される。
【０１４９】
ステップＳ７３において、カメラ制御部１１は、タッチパネルドライバ２４を介してタッチパネル２５からの出力信号を監視して「戻る」アイコン５２に相当する部位がタッチ操作されたか否かの確認を行う。ここで、「戻る」アイコン５２のタッチ操作が確認された場合には、ステップＳ７４の処理に進む。
【０１５０】
続いて、ステップＳ７４において、カメラ制御部１１は、第２ＨＤＲ処理を解除する処理を実行する。その後、上述のステップＳ６６の処理に戻る。このとき、表示画面２３ａの表示は、図１９（Ｇ）の状態から図１９（Ｄ）の状態に戻る。
【０１５１】
一方、上述のステップＳ７３において、「戻る」アイコン５２以外のタッチ操作が確認された場合には、ステップＳ７７の処理に進む。
【０１５２】
ステップＳ７７において、カメラ制御部１１は、操作制御部１６を介して操作部１７からの出力信号、若しくはタッチパネルドライバ２４を介してタッチパネル２５からの出力信号を監視して、レリーズ指示信号が発生したか否かの確認を行う。本実施形態のカメラ１においては、レリーズ指示信号を発生させる操作手段として、例えば操作部１７に含まれるレリーズボタン及びそれに連動するスイッチ部材等からなる機械的操作部材のほかに、タッチパネル２５を適用している。したがって、操作部１７のレリーズ操作部材が使用者によって任意のタイミングで押圧されるか、若しくはタッチパネル２５の所定部位（例えば「ＯＫ」アイコン５４）が使用者によって任意のタイミングでタッチ操作がなされることによって、レリーズ指示信号が発生する。カメラ制御部１１は、レリーズ指示信号の発生を確認した場合には、次のステップＳ７８の処理に進み、このステップＳ７８において、ＨＤＲ撮影処理を実行する。このＨＤＲ撮影処理によって、上述の一連の処理シーケンスによって一時的に記録されていた処理結果画像データが、メモリインタフェース２０を介して記録媒体２１に記録される。
【０１５３】
このとき、表示画面２３ａは、図１９（Ｈ）の示すように、ＨＤＲ撮影処理済み画像が表示されると共に、各種アイコン表示が消滅している。その後、元の処理シーケンスに復帰し、図１０のステップＳ４１の処理に戻る（リターン）。
【０１５４】
なお、上記ステップＳ７２の第２ＨＤＲ処理の実行終了後における表示画面２３ａには、図１９（Ｇ）に示すように、再度「追加」アイコン５３も表示するようにしている。したがって、この時点においては、「追加」アイコン５３をタッチ操作することによって、再度の（第３）ＨＤＲ処理を行うようにすることが可能である。その場合において、第３ＨＤＲ処理の処理シーケンスは、上述の第２ＨＤＲ処理と全く同様である。したがって、説明の繰り返しを避けるために、第３ＨＤＲ処理を行う場合の図示及び説明は省略する。
【０１５５】
他方、上述のステップＳ６８の処理にて、「追加」アイコン５３のタッチ操作が確認されない場合にステップＳ７５の処理に進んだ場合には、このステップＳ７５において、カメラ制御部１１は、操作制御部１６を介して操作部１７からの出力信号を監視して、レリーズ指示信号が発生したか否かの確認を行う。ここで、レリーズ指示信号の発生が確認された場合には、ステップＳ７８の処理に進み、このステップＳ７８において、ＨＤＲ撮影処理を実行する。その後、元の処理シーケンスに復帰し、図１０のステップＳ４１の処理に戻る（リターン）。
【０１５６】
次に、上述のＨＤＲシーケンスケースＢ（図１１のステップＳ５０）の詳細を、図１６を用いて以下に説明する。
【０１５７】
このＨＤＲシーケンスケースＢは、上述したように指定領域内の輝度差が大きい場合（図１１のステップＳ４８の処理による分岐）に実行される処理である。ここで、指定領域内の輝度差が大きい場合とは、例えば図２０（Ｃ）に示すような場合を想定している。即ち、図１１のステップＳ４７の処理（図１２参照）にて領域指定を行っているが、このとき、タッチ操作に加えてスライド操作を行うことによって、図２０（Ｃ）の枠表示６３に示すように、比較的広い範囲の領域を指定するものとする。この場合の指定領域内には、太陽等の高輝度被写体２０１と、これに対して低輝度となる被写体２００とが含まれている。
【０１５８】
図１６のステップＳ１１１において、カメラ制御部１１は、指定領域測光Ｌ（詳細は図１４のサブルーチン）を実行する。その後、ステップＳ１１２の処理に進む。
【０１５９】
ステップＳ１１２において、カメラ制御部１１は、指定領域測光Ｈ処理は（詳細は図１５のサブルーチン）を実行する。その後、ステップＳ１１３の処理に進む。
【０１６０】
このように、上記ステップＳ１１１，Ｓ１１２の各処理においては、一回の領域指定操作によって指定された指定領域内の画像データに基いて、その指定領域内の高輝度被写体２０１に適する露出による画像と、同指定領域内の低輝度被写体２００に適する露出による画像とを、続けて自動的に取得する。
【０１６１】
ステップＳ１１３において、カメラ制御部１１は、指定領域内の被写体追尾処理を実行する。その後、ステップＳ１１４の処理に進む。
【０１６２】
ステップＳ１１４において、カメラ制御部１１は、既に取得済みの基準露出画像データと、上述のステップＳ１１１，Ｓ１１２の各処理の結果取得した画像データとに基いて、ＨＤＲ処理を実行する。その後、ステップＳ１１５の処理に進む。
【０１６３】
このＨＤＲ処理の結果、表示画面２３ａには、図２０（Ｄ）に示すような表示が行われる。ここで、表示画面２３ａには、ＨＤＲ処理結果を反映したライブビュー画像が表示され、これに重畳させて、同表示画面２３ａ中の所定の部位（図では右下隅部）に「ＨＤＲキャンセル」アイコン５６，「ＯＫ」アイコン５４等が表示される。
【０１６４】
ステップＳ１１５において、カメラ制御部１１は、タッチパネルドライバ２４を介してタッチパネル２５からの出力信号を監視して「戻る」アイコン５２に相当する部位がタッチ操作されたか否かの確認を行う。ここで、「戻る」アイコン５２のタッチ操作が確認された場合には、ステップＳ１１６の処理に進む。
【０１６５】
続いて、ステップＳ１１６において、カメラ制御部１１は、ＨＤＲ処理を解除する処理を実行する。その後、元の処理シーケンスに復帰し、図１０のステップＳ４１の処理に戻る（リターン）。
【０１６６】
一方、上述のステップＳ１１５の処理にて、「戻る」アイコン５２以外のタッチ操作が確認された場合には、ステップＳ１１７の処理に進む。
【０１６７】
ステップＳ１１７において、カメラ制御部１１は、操作制御部１６を介して操作部１７からの出力信号、若しくはタッチパネルドライバ２４を介してタッチパネル２５からの出力信号を監視して、レリーズ指示信号が発生したか否かの確認を行う。ここで、レリーズ指示信号が確認された場合には、次のステップＳ１１８の処理に進み、このステップＳ１１８において、ＨＤＲ撮影処理を実行する。その後、元の処理シーケンスに復帰し、図１０のステップＳ４１の処理に戻る（リターン）。
【０１６８】
上述のようにして、レリーズ操作部材の押圧操作若しくは上記「ＯＫ」アイコン５４のタッチ操作等によって、レリーズ指示信号が発生すると撮影動作が実行される。これにより、表示画面２３ａには、ＨＤＲ撮影処理済み画像が表示されると共に、各種アイコン表示が消滅して、図２０（Ｅ）に示すようになる。
【０１６９】
次に、図１０のステップＳ４３の処理（動画記録）の詳細を、図１７によって以下に説明する。
【０１７０】
上述したように、図１０ステップＳ４２の処理にて、動画記録を開始すべき旨の指示信号が確認された場合に、動画記録が実行される。このときの表示画面２３ａの表示例は、図２１（Ａ）に示されるような状態である。表示画面２３ａには、上述したように、ライブビュー画像が表示されており、これに重畳させて、所定の部位に「ＨＤＲコントロール」アイコン５１（図では右下隅部）や「●ＲＥＣ」アイコン５７（図では左上隅部）等が表示されている。なお、「●ＲＥＣ」アイコン５７の表示は、当該カメラ１が動画記録実行中に表示されるアイコンである。
【０１７１】
まず、図１７のステップＳ２０１において、カメラ制御部１１は、当該カメラ１の動作モードが、撮影モードでありかつＨＤＲモードにあるか否かの確認を行う。ここで、ＨＤＲモードに設定されていない場合には、ステップＳ２０２の処理に進む。また、既にＨＤＲモードに設定されている場合には、ステップＳ２０７の処理に進む。
【０１７２】
ステップＳ２０２において、カメラ制御部１１は、タッチパネルドライバ２４を介してタッチパネル２５からの出力信号を監視して「ＨＤＲコントロール」アイコン５１に相当する部位がタッチ操作されたか否かの確認を行う。ここで、「ＨＤＲコントロール」アイコン５１のタッチ操作が確認された場合には、ステップＳ２０６の処理に進む。また、「ＨＤＲコントロール」アイコン５１のタッチ操作が確認されなかった場合には、ステップＳ２０３の処理に進む。
【０１７３】
ステップＳ２０３において、カメラ制御部１１は、通常測光処理が行われ、同時に通常の露出制御処理が実行される。
【０１７４】
続いて、ステップＳ２０４において、カメラ制御部１１は、通常画像処理を実行した後、ステップＳ２０５の処理に進み、このステップＳ２０５において、カメラ制御部１１は、通常動画記録を実行する。
【０１７５】
そして、ステップＳ２２２において、カメラ制御部１１は、操作制御部１６を介して操作部１７からの出力信号、若しくはタッチパネルドライバ２４を介してタッチパネル２５からの出力信号を監視して、動画記録動作の終了指示信号が発生したか否かの確認を行う。ここで、動画記録終了指示信号が確認された場合には、元の処理シーケンスに復帰し、図１０のステップＳ４１の処理に戻る（リターン）。また、動画記録終了指示信号が確認されない場合には、上述のステップＳ２０１の処理に戻り、以降の処理を繰り返す。
【０１７６】
一方、上述のステップＳ２０２の処理にて、「ＨＤＲコントロール」アイコン５１のタッチ操作が確認されてステップＳ２０６の処理に進むと、このステップＳ２０６において、カメラ制御部１１は、動作モードをＨＤＲモードに切り換えて、同モードによる動作処理を開始する。その後、ステップＳ２０７の処理に進む。
【０１７７】
ここで、「ＨＤＲコントロール」アイコン５１のタッチ操作が行なわれると、表示画面２３ａは、図２１（Ｂ）に示すように変化する。この状態では、表示画面２３ａのライブビュー画像に重畳させて、「タッチしてください」等のガイド表示５５が表示される。同時に、「ＨＤＲコントロール」アイコン５１の表示は消滅する。
【０１７８】
図１７に戻って、上述のステップＳ２０１の処理にてＨＤＲモードの設定が確認された場合、及び上述のステップＳ２０６の処理にてＨＤＲモード処理が開始された場合には、ステップＳ２０７の処理に進む。
【０１７９】
ステップＳ２０７において、カメラ制御部１１は、ＨＤＲ処理のための指定領域が既に指定されているか否かの確認を行う。ここで、指定領域が指定されていない場合には、次のステップＳ２０８の処理に進む。また、指定領域が既に指定されている場合には、ステップＳ２１１の処理に進む。
【０１８０】
ステップＳ２０８において、カメラ制御部１１は、タッチパネルドライバ２４を介してタッチパネル２５からの出力信号を監視して、ＨＤＲ処理のための指定領域を指定する操作指示信号の確認を行う。ここで、操作指示信号が確認されない場合には、上述のステップＳ２０３の処理に進み、以降の処理を繰り返す。また、操作指示信号が確認された場合には、次のステップＳ２０９の処理に進む。
【０１８１】
ステップＳ２０９において、カメラ制御部１１は、領域指定（図１１のステップＳ４７；詳細は図１２のサブルーチン）を実行する。その後、ステップＳ２１０の処理に進む。
【０１８２】
ここで、領域指定操作が行われて、上記ステップＳ２０９における領域指定が実行されると、表示画面２３ａには、図２１（Ｂ）に示すような形態で、指定領域を表わす矩形状の枠表示６３が表示される。図２１（Ｂ）に示す例では、指定領域である枠表示６３内に、複数の輝度の異なる被写体を含んでいるものとする。
【０１８３】
続いて、ステップＳ２１０において、カメラ制御部１１は、指定領域内の被写体追尾処理を実行する。その後、上述のステップＳ２０３の処理に進み、以降の処理を繰り返す。
【０１８４】
一方、上述のステップＳ２０７において、指定領域が既に指定されている場合にステップＳ２１１の処理に進むと、このステップＳ２１１において、カメラ制御部１１は、ＨＤＲモードによる記録処理を実行中であるか否かの確認を行う。ここで、ＨＤＲ記録処理中ではない場合には、次のステップＳ２１２の処理に進む。また、ＨＤＲ記録処理中であることが確認された場合には、ステップＳ２１８の処理に進む。
【０１８５】
なお、このＨＤＲ記録処理中であるとは、ＨＤＲ処理済み画像を含む記録処理をいう。この処理は、後述するステップＳ２２１のＨＤＲ処理を経て上述のステップＳ２０５の動画記録が実行されている状態をいう。
【０１８６】
ステップＳ２１２において、カメラ制御部１１は、指定領域についてのＨＤＲ測光処理，露出制御処理を実行する。このＨＤＲ測光処理，露出制御処理の詳細は図１８に示す通りである。
【０１８７】
図１８のステップＳ３０１において、カメラ制御部１１は、指定領域測光Ｌ（詳細は図１４のサブルーチン）を実行する。その後、ステップＳ３０２の処理に進む。
【０１８８】
続いて、ステップＳ３０２において、カメラ制御部１１は、指定領域測光Ｈ処理は（詳細は図１５のサブルーチン）を実行する。その後、ステップＳ３０３の処理に進む。
【０１８９】
次に、ステップＳ３０３において、カメラ制御部１１は、指定領域内のダイナミックレンジ（Ｄレンジ）測定処理を実行する。
【０１９０】
ステップＳ３０４において、カメラ制御部１１は、露出フレーム数，撮像フレームレートの選択設定処理を実行する。
【０１９１】
ステップＳ３０５において、カメラ制御部１１は、各フレームの露出演算処理を実行する。
【０１９２】
続いて、ステップＳ３０６において、カメラ制御部１１は、動画記録動作中であるか否かの確認を行う。ここで、動画記録動作中ではないことが確認された場合（つまり、ステップＳ２１２に相当するシーケンスの場合）には、元の処理シーケンスに復帰（リターン）して、図１７のステップＳ２１３の処理に進む。また、動画記録動作中であることが確認された場合（つまり、ステップＳ２２０に相当するシーケンスの場合）には、ステップＳ３０７の処理に進む。
【０１９３】
ステップＳ３０７において、カメラ制御部１１は、前回のＨＤＲ画像処理におけるＨＤＲレンジ情報に基いて制限値の設定を行う。
【０１９４】
動画記録時にＨＤＲ画像処理を行う場合、通常画像から瞬時にＨＤＲ処理済み画像への切り換えを行うと不自然な画像になってしまうことから、ＨＤＲ画像記録を行う際には、通常画像からＨＤＲ処理済み画像への切り換え時には、例えば２−３秒の時間をかけて徐々に切り換わるようにすれば、自然な画像表現とすることができる。つまり、処理画像の変化が徐々に変化するように、例えば０．１ＥＶ毎に処理結果を変化させるような、いわゆるフェードイン効果を持たせた切り換えを行えばよい。また、ＨＤＲ記録処理の終了にも、同様のフェードアウト効果を持たせた切り換えを行えばよい。上記ステップＳ３０７の処理は、そのための設定であり、上記制限値とは、処理画像を徐々に変化させるための処理具合を設定する値（例えばＥＶ値等）である。
【０１９５】
続いて、ステップＳ３０８において、カメラ制御部１１は、ＨＤＲレンジ情報として上記制限値を記憶する。その後、元の処理シーケンスに復帰（リターン）して、図１７のステップＳ２１３の処理に進む。
【０１９６】
ステップＳ２１３において、カメラ制御部１１は、ＨＤＲプレビュー画像処理を実行する。その後、ステップＳ２１４の処理に進む。
【０１９７】
動画記録中にＨＤＲ処理を行う場合、ＨＤＲ処理の結果を即時に適用すると、意図しない動画記録になってしまう虞がある。そこで、動画記録中にＨＤＲ処理を行う場合には、ＨＤＲ処理結果をプレビューできるようにし、適用前に予め確認することができるようにしておけば至便である。そこで、上述のＨＤＲプレビュー画像処理を行うようにしている。
【０１９８】
このＨＤＲプレビュー画像処理は、ＨＤＲ処理結果を記録中の動画像データに対して適用する前に、表示画面２３ａにて予め確認できるようにする処理である。そのために、本実施形態のカメラ１においては、例えば図２１（Ｄ）に示すように、表示画面２３ａのライブビュー画像に重畳させて、当該表示画面２３ａの一部の領域を用いて、ＨＤＲ処理結果表示用の副画面６４を表示させる。これと同時に、表示画面２３ａの所定の部位（図では右下隅部）に「ＳＴＡＲＴ」アイコン５８や「戻る」アイコン５２等を表示させる。
【０１９９】
図１７に戻って、ステップＳ２１４において、カメラ制御部１１は、タッチパネルドライバ２４を介してタッチパネル２５からの出力信号を監視して、「ＳＴＡＲＴ」アイコン５８に相当する部位がタッチ操作されたか否かの確認を行う。ここで、「ＳＴＡＲＴ」アイコン５８のタッチ操作が確認された場合には、ステップＳ２１５の処理に進む。
【０２００】
ステップＳ２１５において、カメラ制御部１１は、ＨＤＲ記録処理を開始する。これにより、表示画面２３ａは、図２１（Ｅ）に示すように、副画面６４の表示が消えると共に、「ＳＴＡＲＴ」アイコン５８，「戻る」アイコン５２等に代えて「ＥＮＤ」アイコン５９が表示される。その後、ステップＳ２１６の処理に進む。
【０２０１】
一方、上述のステップＳ２１４の処理にて、「ＳＴＡＲＴ」アイコン５８のタッチ操作が確認されなかった場合には、そのままステップＳ２１６の処理に進む。
【０２０２】
ステップＳ２１６において、カメラ制御部１１は、タッチパネルドライバ２４を介してタッチパネル２５からの出力信号を監視して、「戻る」アイコン５２に相当する部位がタッチ操作されたか否かの確認を行う。ここで、「戻る」アイコン５２のタッチ操作が確認されなかった場合には、上述のステップＳ２０５の処理に進み、以降の処理を繰り返す。また、「戻る」アイコン５２のタッチ操作が確認された場合には、ステップＳ２１７の処理に進む。
【０２０３】
ステップＳ２１７において、カメラ制御部１１は、ＨＤＲプレビュー処理を解除する処理を実行する。その後、上述のステップＳ２０５の処理に進み、以降の処理を繰り返す。
【０２０４】
なお、このＨＤＲプレビュー処理の解除処理によって、表示画面２３ａは、図２１（Ａ）の状態に復帰する。
【０２０５】
一方、上述のステップＳ２１１において、ＨＤＲ記録処理中であることが確認されて、ステップＳ２１８の処理に進むと、このステップＳ２１８において、カメラ制御部１１は、タッチパネルドライバ２４を介してタッチパネル２５からの出力信号を監視して、「ＥＮＤ」アイコン５９に相当する部位がタッチ操作されたか否かの確認を行う。ここで、「ＥＮＤ」アイコン５８のタッチ操作が確認された場合には、ステップＳ２１９の処理に進む。
【０２０６】
ステップＳ２１９において、カメラ制御部１１は、ＨＤＲ記録処理を解除する処理を実行する。その後、ステップＳ２２０の処理へ進む。
【０２０７】
また、上述のステップＳ２１８の処理にて、「ＥＮＤ」アイコン５９のタッチ操作が確認されなかった場合には、ステップＳ２２０の処理に進む。
【０２０８】
ステップＳ２２０において、カメラ制御部１１は、ＨＤＲ測光，露出制御処理（詳細は図１８のサブルーチン）を実行する。その後、ステップＳ２２１の処理に進む。
【０２０９】
ステップＳ２２１において、カメラ制御部１１は、ＨＤＲ画像処理（記録用画像処理）を実行する。その後、ステップＳ２０５の処理に進み、以降の処理を繰り返す。
【０２１０】
ここで、動画記録時及びライブビュー（ＬＶ）画像表示時に行われるＨＤＲ処理に関する信号処理タイミングについて、図２２のタイミングチャートを用いて簡単に説明する。
【０２１１】
図２２Ａは垂直同期信号を表わしている。通常撮影時には、フレームレートを３０ｆｐｓとしている。この場合において、符号Ｓ１で示すタイミングでＨＤＲ処理が開始されるものとする。つまり、符号Ｓ１の時点で、まず領域指定の後、指定領域に関する測光及び露出処理が実行される。同じタイミングで、フレームレート制御が実行されて、フレームレートが三倍の９０ｆｐｓに切り換わる。
【０２１２】
これによって、図２２Ｂに示すように、通常撮影時において一フレーム分の画像（基準画像Ａ）を露光する時間で、三フレーム分の画像（基準Ａ，暗部Ｂ，明部Ｃ））を取得することができるようになる。
【０２１３】
ここで、基準画像Ａは、上記基準露出画像である。また、暗部Ｂは、上述の説明で低輝度部分が適正露出となるようにした画像である。そして、明部Ｃは、上述の説明で高輝度部分が適正露出となるようにした画像である。
【０２１４】
こうして取得された三フレーム分の画像（Ａ，Ｂ，Ｃ）をＨＤＲ処理により合成画像処理（ＨＤＲ合成）を行って得られた合成画像は、まず図２２Ｄに示すように、表示画面２３ａ内のサブ画面（上記副画面６４）に表示される。
【０２１５】
そして、図２２Ａの符号Ｓ２で示すタイミングでＨＤＲ記録処理が開始されるものとする。即ち、符号Ｓ２の時点で、「ＳＴＡＲＴ」アイコン５８がタッチ操作されたものとする。
【０２１６】
これをトリガーとして、ＨＤＲ処理済み画像が記録中の動画像データに対して適用されることになるのであるが、動画記録若しくはライブビュー画像においては、「ＳＴＡＲＴ」アイコン５８等の指示と同時に、瞬時に画像切り換えを行うと、不自然な表示になると考えられる。
【０２１７】
そこで、図２２Ｅに示すように、符号Ｓ２のタイミングでＨＤＲ記録を開始する時、表示中の基準画像からＨＤＲ処理画像へと切り換えるのに際し、例えば２−３秒間をかけて徐々に切り換わるようにする。この場合、処理画像の変化も徐々に変化するように、例えば０．１ＥＶ毎に処理結果が変化するように、いわゆるフェードイン効果を持たせた切り換え表示を行う（図２２Ｅに示すＨＤＲ合成（１），ＨＤＲ合成（２），ＨＤＲ合成（３）を参照）。なお、「ＥＮＤ」アイコン５９のタッチ操作によって、ＨＤＲ記録処理を終了させるときにも、同様のフェードアウト効果を持たせた切り換え表示を行う。
【０２１８】
以上説明したように、上記第２の実施形態によれば、上述の第１の実施形態と同様の効果を得ることができる。また、本実施形態においては、さらに、指定領域を指定するのに際して、複数手段によって対応するようにしたので、より簡単にＨＤＲ画像処理を実現することができる。
【０２１９】
また、本実施形態においては、動画像記録中であっても、所望のタイミングでＨＤＲ処理を挿入し、所望するタイミングで停止させるといったことが可能であるので、より広範な表現手段のための効果的な画像を得ることができる。
【０２２０】
さらに、動画像記録の場合には、ＨＤＲ処理の開始及び終了時の表示形態に工夫を施すことによって、より自然な形態で、効果的なＨＤＲ処理済み画像を含む動画像を取得し、表示させることが可能になる。
【０２２１】
また、本実施形態においては、カメラ制御部１１は、ＨＤＲモードとしたときにフレームレート制御処理を実行し、高フレームレートで動作するようにしたので、違和感のないライブビュー画像表示や動画像記録を行なうことができる。
【０２２２】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。また、上記各実施形態においては、カメラ本体に対して撮影レンズ鏡筒が着脱自在に構成されたいわゆるレンズ交換式カメラを例に挙げて説明しているが、この形態に限られることはなく、例えばカメラ本体に撮影レンズ鏡筒が一体に固定された形態のカメラに対しても、全く同様に適用することができる。
【０２２３】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【０２２４】
本発明は、デジタルカメラ等の撮影機能に特化した電子機器である撮影機器に限られることはなく、撮影機能を備えた他の形態の電子機器、例えば携帯電話，録音機器，電子手帳，パーソナルコンピュータ，ゲーム機器，テレビ，時計，ＧＰＳ（Global Positioning System）を利用したナビゲーション機器等、各種の撮影機能付き電子機器にも適用することができる。
【符号の説明】
【０２２５】
１……カメラ，１０……カメラ本体，１１……カメラ制御部，１２……撮像素子，１３……一時メモリ，１４……露出制御部，１５……画像処理部，１６……操作制御部，１７……操作部，１８……カメラ通信部，２０……メモリインタフェース，２１……記録媒体，２２……表示用ドライバ，２３……表示装置，２３ａ……表示画面，２４……タッチパネルドライバ，２５……タッチパネル，３０……撮影レンズ鏡筒，３１……撮影レンズ，３２……レンズ保持枠，３３……絞り機構，３４……ドライバ，３５……レンズ制御部，３６……レンズ通信部，３９ａ，３９ｂ……通信用接点
【図１】
2015109684.tif 000003
【図２】
2015109684.tif 000004
【図４】
2015109684.tif 000005
【図５】
2015109684.tif 000006
【図６】
2015109684.tif 000007
【図７】
2015109684.tif 000008
【図８】
2015109684.tif 000009
【図９】
2015109684.tif 000010
【図１０】
2015109684.tif 000011
【図１１】
2015109684.tif 000012
【図１２】
2015109684.tif 000013
【図１３】
2015109684.tif 000014
【図１４】
2015109684.tif 000015
【図１５】
2015109684.tif 000016
【図１６】
2015109684.tif 000017
【図１７】
2015109684.tif 000018
【図１８】
2015109684.tif 000019
【図１９】
2015109684.tif 000020
【図２０】
2015109684.tif 000021
【図２１】
2015109684.tif 000022
【図２２】
2015109684.tif 000023
【図３】
2015109684.tif 000024